(57)【特許請求の範囲】
【請求項１】
玄関子機（９）からの呼出に応答して前記玄関子機と親機（０）の送受器（７）で通話ができ、１個以上のセンサ（１４、２４、３４）の状態を検出部（１）で検出し、前記センサに応じた警報音をＣＰＵ（２）の制御により警報音・呼出音発生回路（３）で発生させスピーカ（５）で鳴動するセキュリティインターホン装置であって、
前記検出部は、電源（１５）から前記センサに流れる電流を制限する制限電流および前記センサの閉成時に前記電源から前記センサに流れる検出電流が第１レベルに設定された第１の検出回路（１１、２１、３１）と、前記電源から前記センサに流れる電流を制限する制限電流および前記センサの閉成時に前記電源から前記センサに流れる検出電流が前記第１レベルよりも多い第２レベルに設定された第２の検出回路（１６）とを備えることにより、前記センサの状態を前記第１、第２の検出回路の２段階で検出し、
前記センサおよび前記第２の検出回路の間には、前記第２の検出回路で検出する前記センサを順次切替えて前記センサの状態を検出するための選択スイッチ（１２、２２、３２）を備えたことを特徴とするセキュリティインターホン装置。
【請求項２】
玄関子機（９）からの呼出に応答して前記玄関子機と親機（０）の送受器（７）で通話ができ、１個以上のセンサ（１４、２４、３４）の状態を検出部（１）で検出し、前記センサに応じた警報音をＣＰＵ（２）の制御により警報音・呼出音発生回路（３）で発生させスピーカ（５）で鳴動するセキュリティインターホン装置であって、
前記検出部は、電源（１５ａ）から前記センサに流れる電流を制限する制限電流および前記センサの閉成時に前記電源から前記センサに流れる検出電流が第１レベルに設定された第１の検出回路（１１ａ、２１ａ、３１ａ）と、前記電源から前記センサに流れる電流を制限する制限電流および前記センサの閉成時に前記電源から前記センサに流れる検出電流が前記第１レベルよりも多い第２レベルに設定された第２の検出回路（１６ａ、２６ａ、３６ａ）と、前記第２の検出回路内に設けられ、前記第２の検出回路で検出する前記センサを順次切替えて前記センサの状態を検出するための電源スイッチ（１９ｃ、２９ｃ、３９ｃ）とを備えることにより、前記センサの状態を前記第１、第２の検出回路の２段階で検出することを特徴とするセキュリティインターホン装置。
【発明の詳細な説明】
【０００１】
【発明の属する技術分野】
本発明はセキュリティインターホン装置に係わり、特に、１個以上のセンサの状態を検出し、センサに応じた警報音をスピーカで鳴動させるセキュリティインターホン装置に関する。
【０００２】
【従来の技術】
従来から、この種のセキュリティインターホン装置として、図７に示すようなものが知られている。
【０００３】
図７は、従来のセキュリティインターホン装置のブロック図である。
【０００４】
図７において、従来のセキュリティインターホン装置は、室内に設置される親機１００と、寝室、風呂等に設置される複数のセンサ１１４、１２４、１３４及び玄関に設置される玄関子機１０９とで構成されており、複数のセンサ１１４、１２４、１３４は、端子１１３、１２３、１３３を介してそれぞれ親機１００に接続され、玄関子機１０９は、端子１１０を介して親機１００に接続されている。
【０００５】
親機１００は、各端子１１３、１２３、１３３に接続される検出部１０１と、この検出部１０１並びに警報音・呼出音発生回路１０３、呼出検出回路１０８及び通話回路１０６に接続されるＣＰＵ１０２と、警報音・呼出音発生回路１０３及びスピーカ１０５に接続されるアンプ１０４と、通話回路１０６に接続される送受器１０７とで構成されており、通話回路１０６及び呼出検出回路１０８は端子１１０に接続されている。
【０００６】
図８は、図７に示す検出部１０１のブロック図である。
【０００７】
図８において、検出部１０１は、端子１１３及びＣＰＵ１０２に接続される検出回路１１６と、端子１２３及びＣＰＵ１０２に接続される検出回路１２６と、端子１３３及びＣＰＵ１０２に接続される検出回路１３６及びこれらの検出回路１１６、１２６、１３６にそれぞれ接続される電源１１５とで構成されている。
【０００８】
図９は、図８に示す各検出回路１１６、１２６、１３６のブロック図である。なお、各検出回路１１６、１２６、１３６は同一構成であるため、一つの検出回路１１６を例にして説明する。
【０００９】
図９において、検出回路１１６（１２６、１３６）は、電流制限回路１１７と、この電流制限回路１１７に接続される電流検出回路１１８と、この電流検出回路１１８に接続される電源スイッチ１１９とから構成されており、電流制限回路１１７は端子１１３（１２３、１３３）に接続され、電流検出回路１１８はＣＰＵ１０２に接続され、電源スイッチ１１９は電源１１５に接続されている。
【００１０】
次に、従来のセキュリティインターホン装置の動作を、一つのセンサ１１４を例にして説明する。
【００１１】
図７〜図９において、センサ１１４は、通常、正常時に閉成し、異常時に開成するように構成されている。
【００１２】
先ず、監視時においては、ＣＰＵ１０２の制御によって電源スイッチ１１９が閉じられ、センサ１１４が閉成されている。これにより、電源１１５から、電源スイッチ１１９、電流検出回路１１８を経由して電流制限回路１１７に電流が流れ、この電流制限回路１１７によって制限された電流が端子１１３を経由してセンサ１１４に流れる。上記の電流検出回路１１８で検出された電流は、センサ１１４の正常信号としてＣＰＵ１０２へ伝達され、これにより、警報音・呼出音発生回路１０３からは警報音・呼出音が発生しないことになる。
【００１３】
一方、異常により、センサ１１４が開成すると、検出回路１１６（１２６、１３６）に電流が流れず、電流が流れていないことが電流検出回路１１８によって検出され、センサ１１４の異常信号としてＣＰＵ１０２へ伝達される。そして、ＣＰＵ１０２がセンサ１１４の異常信号を受信すると、警報音・呼出音発生回路１０３を制御し、センサ１１４の異常に応じた警報音・呼出音を発生する。この警報音・呼出音は、アンプ１０４を介して増幅され、スピーカ１０５より鳴動する。
【００１４】
【発明が解決しようとする課題】
しかしながら、従来のセキュリティインターホン装置では、正常時に閉成しているセンサ１１４の異常を検出するため、常時若しくはＣＰＵ１０２の制御によって電源スイッチ１１９を閉成している間は、電流制限回路１１７で制限した電流を流し続ける必要があり、この結果、センサ１１４の正常時における消費電流が多くなるという難点があった。
【００１５】
一方、電流検出回路での検出電流を少ない電流で検出可能とした場合、外乱の影響で誤検出し、誤動作・誤発報となる難点があった。
【００１６】
また、複数のセンサを同時に監視する場合、各センサに同時に電流制限回路１１７で制限した電流を流し続ける必要があり、より消費電流が多くなるという難点があった。
【００１７】
更に、複数のセンサ１１４、１２４、１３４を順次監視すべく、ＣＰＵ１０２により各検出回路の電源スイッチ１１９を順次閉成した場合、電源スイッチ１１９が閉成されているセンサのみが検出可能とされ、他のセンサは検出できないという難点があった。
【００１８】
本発明はこのような難点を解消するためになされたもので、センサの状態を第１、第２の検出回路の２段階で検出することにより、複数のセンサを同時に監視してもセンサの正常時における消費電流を少なくでき、かつ安定してセンサの検出をなし得るセキュリティインターホン装置を提供することを目的としている。
【００１９】
【課題を解決するための手段】
上記の目的を達成するため、本発明によるセキュリティインターホン装置は、玄関子機からの呼出に応答して玄関子機と親機の送受器で通話ができ、１個以上のセンサの状態を検出部で検出し、センサに応じた警報音をＣＰＵの制御により警報音・呼出音発生回路で発生させスピーカで鳴動するセキュリティインターホン装置であって、検出部は、電源からセンサに流れる電流を制限する制限電流およびセンサの閉成時に電源からセンサに流れる検出電流が第１レベルに設定された第１の検出回路と、電源からセンサに流れる電流を制限する制限電流およびセンサの閉成時に電源からセンサに流れる検出電流が第１レベルよりも多い第２レベルに設定された第２の検出回路とを備えることにより、センサの状態を第１、第２の検出回路の２段階で検出し、センサおよび第２の検出回路の間には、第２の検出回路で検出するセンサを順次切替えてセンサの状態を検出するための選択スイッチを備えたことを特徴としている。
【００２０】
また、検出部は、電源からセンサに流れる電流を制限する制限電流およびセンサの閉成時に電源からセンサに流れる検出電流が第１レベルに設定された第１の検出回路と、電源からセンサに流れる電流を制限する制限電流およびセンサの閉成時に電源からセンサに流れる検出電流が第１レベルよりも多い第２レベルに設定された第２の検出回路と、第２の検出回路内に設けられ、第２の検出回路で検出するセンサを順次切替えてセンサの状態を検出するための電源スイッチとを備えることにより、センサの状態を第１、第２の検出回路の２段階で検出することを特徴としている。
【００２１】
本発明のセキュリティインターホン装置によれば、検出電流及び制限電流を少なく設定した第一の検出回路でセンサの状態を検出することにより、複数のセンサを同時に監視してもセンサの正常時における消費電流を少なくできる。
【００２２】
また、第一の検出回路での検出により、検出電流及び制限電流を第一の検出回路より多く設定した第二の検出回路でセンサの状態を再度検出することにより、誤検出による誤動作、誤発報を防止できる。
【００２３】
【発明の実施の形態】
以下、本発明によるセキュリティインターホン装置の好ましい一実施例を図面を参照して詳述する。
【００２４】
図１は、本発明におけるセキュリティインターホン装置の一実施例を示すブロック図である。
【００２５】
図１において、本発明におけるセキュリティインターホン装置は、室内に設置される親機０と、寝室、風呂等に設置されるセンサ１４、２４、３４と、玄関に設置される玄関子機９とで構成されており、複数のセンサ１４、２４、３４は、それぞれ、端子１３、２３、３３を介して親機０に接続され、玄関子機９は端子１０を介して親機０に接続されている。
【００２６】
親機０は、各端子１３、２３、３３に接続される検出部１と、この検出部１並びに警報音・呼出音発生回路３、呼出検出回路８及び通話回路６が接続されるＣＰＵ２と、警報音・呼出音発生回路３及びスピーカ５に接続されるアンプ４と、通話回路６に接続される送受器７とで構成されており、通話回路６及び呼出検出回路８は端子１０に接続されている。
【００２７】
図２は、図１に示す検出部１のブロック図である。
【００２８】
図２において、検出部１は、端子１３及びＣＰＵ２に接続される第１の検出回路１１と、端子２３及びＣＰＵ２に接続される第１の検出回路２１と、端子３３及びＣＰＵ２に接続される第１の検出回路３１と、これらの第１の検出回路１１、２１、３１にそれぞれ接続される電源１５と、端子１３、２３、３３と第２の検出回路１６の間に設けられた選択スイッチ１２、２２、３２とで構成されている。ここで、選択スイッチ１２、２２、３２は、第２の検出回路１６で検出するセンサ１４、２４、３４を順次切替えてセンサの状態を検出するように構成されている。
【００２９】
図３は、図２に示す各第１の検出回路１１、２１、３１のブロック図である。なお、各第１の検出回路１１、２１、３１は同一構成であるため、一つの第１の検出回路１１を例にして説明する。
【００３０】
図３において、第１の検出回路１１（２１、３１）は、端子１３（２３、３３）に接続される電流制限回路１７ａと、この電流制限回路１７ａと電源１５及びＣＰＵ２に接続される電流検出回路１８ａとで構成されている。
【００３１】
図４は、図２に示す第２の検出回路１６のブロック図である。
【００３２】
図４において、第２の検出回路１６は、各選択スイッチ１２、２２、３２に接続される電流制限回路１７ｂと、この電流制限回路１７ｂ、電源１５及びＣＰＵ２に接続される電流検出回路１８ｂとで構成されている。
【００３３】
かかる構成の本発明におけるセキュリティインターホン装置においては、玄関子機９からの呼出に応答して玄関子機９と親機の送受器７で通話ができ、１個以上のセンサ１４、２４、３４の状態を検出部１で検出し、センサ１４、２４、３４に応じた警報音を警報音・呼出音発生回路３で発生しスピーカ５で鳴動させる構成とされている。
【００３４】
次に、本発明におけるセキュリティインターホン装置の動作を一つのセンサ１４を例にして説明する。
【００３５】
図１〜図４において、先ず、センサ１４（２４、３４）は、正常時に閉成し、異常時に開成するように構成されている。また、検出部１を構成する第１の検出回路１１（２１、３１）は、センサ１４（２４、３４）に流れる電流を制限する制限電流およびセンサ１４（２４、３４）の検出時に流れる検出電流が第１レベルに設定されており、第２の検出回路１６は、センサ１４（２４、３４）に流れる電流を制限する制限電流およびセンサ１４（２４、３４）の検出時に流れる検出電流が第２レベルに設定されている。この実施例においては、第１の検出回路１１（２１、３１）の電流制限設定値及び電流検出設定値は、第２の検出回路１６のそれよりも少なく設定されている。
【００３６】
しかして、電源１５から、第１の検出回路１１（２１、３１）の電流検出回路１８ａ、電流制限回路１７ａに電流が流れ、この電流制限回路１７ａで制限された制限電流が端子１３（２３、３３）を経由してセンサ１４（２４、３４）に流れる。そして、電流検出回路１８ａで検出された電流は、センサ１４（２４、３４）の正常信号としてＣＰＵ２へ伝達される。すなわち、監視時においては、第１の検出回路１１（２１、３１）の少ない制限電流、検出電流により、センサ１４（２４、３４）の状態が監視されている。
【００３７】
ここで、ＣＰＵ２からの制御信号により任意のタイミングで、選択スイッチ１２（２２、３２）を閉成すると、第１の検出回路１１からのセンサ１４の正常信号の伝達と同様に、第２の検出回路１６からセンサ１４の正常信号がＣＰＵ２へ伝達される。そして、ＣＰＵ２が第１の検出回路１１及び第２の検出回路１６からの二つのセンサ１４の正常信号を受信すると、センサ１４が正常であることが認識され、これにより、警報音・呼出音発生回路３からは警報音・呼出音が発生しないことになる。
【００３８】
一方、異常により、センサ１４（２４、３４）が開成すると、第１の検出回路１１（２１、３１）に電流が流れなくなり、この状態が、第１の検出回路１１（２１、３１）で検出され、センサ１４（２４、３４）の異常信号としてＣＰＵ２へ伝達される。そして、ＣＰＵ２からの制御信号により、選択スイッチ１２（２２、３２）を閉成すると、第１の検出回路１１からのセンサ１４の異常信号の伝達と同様に、第２の検出回路１６からセンサ１４の異常信号がＣＰＵ２へ伝達される。そして、ＣＰＵ２が第１の検出回路１１及び第２の検出回路１６からの二つのセンサ１４の異常信号により、センサ１４が異常であることが認識され、これにより、警報音・呼出音発生回路３が制御され、センサ１４（２４、３４）の異常に応じた警報音・呼出音が発生することになる。警報音・呼出音発生回路３で発生したセンサ１４（２４、３４）の異常に応じた警報音は、アンプ４にて増幅され、スピーカ５より鳴動する。
【００３９】
かかる構成のセキュリティインターホン装置においては、第１の検出回路１１、２１、３１の少ない制限電流、検出電流により、常時、センサ１４（２４、３４）の状態を監視するため、同時に複数のセンサ１４（２４、３４）を監視しても、消費電流を少なくできる。また、任意のタイミングで第２の検出回路１６によりセンサ１４（２４、３４）の状態を確認するため確実にセンサの状態を検出できる。
【００４０】
なお、上記実施例では検出部１に選択スイッチ１２、２２、３２を用いて第２の検出回路１６をセンサ１４、２４、３４で共用できるよう構成したが、図５及び図６に示すように、これらの選択スイッチ１２、２２、３２を用いずに、各センサ１４、２４、３４に、電流検出回路１８ｃと電源１５との間にＣＰＵ２により制御される電源スイッチ１９ｃ（２９ｃ、３９ｃ）を設けた第２の検出回路１６ａ、２６ａ、３６ａを配設し、この電源スイッチ１９ｃ（２９ｃ、３９ｃ）をＣＰＵ２により制御してもよい。なお、図中、符号１ａは検出部、１１ａ、２１ａ、３１ａは第１の検出回路、１５ａは電源、１７ａは電流制限回路を示している。
【００４１】
図５及び図６に示す実施例においても、図１〜図４に示す実施例と同様の効果を奏する。
【００４２】
また、図１〜図６に示す実施例では、複数のセンサ１４、２４、３４を用いて説明したが、センサが１個若しくは２個の場合でも図１〜図６に示す実施例と同様の効果を奏する。
【００４３】
更に、図１〜図６に示す実施例では、センサ１４、２４、３４は、正常時に閉成、異常時に開成として説明したが、これと反対に、正常時に開成、異常時に閉成であっても良く、この実施例においても、上記と同様の効果を奏する。
【００４４】
【発明の効果】
以上の説明から明らかなように、本発明のセキュリティインターホン装置によれば、第１の検出回路の少ない制限電流、検出電流により常時センサの状態を監視するため、同時に複数のセンサを監視しても、センサの消費電流を少なくできる。また、任意のタイミングで第２の検出回路によりセンサの状態を確認するため確実にセンサの状態を検出できる。
【図面の簡単な説明】
【図１】  本発明におけるセキュリティインターホン装置の一実施例を示すブロック図。
【図２】  図１に示す検出部のブロック図。
【図３】  図２に示す第１検出回路のブロック図。
【図４】  図２に示す第２の検出回路のブロック図。
【図５】  本発明におけるセキュリティインターホン装置の他の実施例を示すブロック図。
【図６】  図５に示す第２の検出回路のブロック図。
【図７】  従来のセキュリティインターホン装置のブロック図。
【図８】  図７に示す検出部のブロック図。
【図９】  図８に示す検出回路のブロック図。
【符号の説明】
０・・・・・・・・・・親機
１・・・・・・・・・・検出部
２・・・・・・・・・・・・・ＣＰＵ
３・・・・・・・・・・・・・警報音・呼出音発生回路
５・・・・・・・・・・・・・スピーカ
７・・・・・・・・・・・・・送受器
９・・・・・・・・・・・・・玄関子機
１１、２１、３１・・・・・・第１の検出回路
１１ａ、２１ａ、３１ａ・・・第１の検出回路
１２、２２、３２・・・・・・選択スイッチ
１４、２４、３４・・・・・・センサ
１５、１５ａ・・・・・・・・・・・・電源
１６・・・・・・・・・・・・第２の検出回路
１６ａ、２６ａ、３６ａ・・・第２の検出回路
１９ｃ、２９ｃ、３９ｃ・・・電源スイッチ
【図１】
0004331351.tif 000002
【図２】
0004331351.tif 000003
【図３】
0004331351.tif 000004
【図４】
0004331351.tif 000005
【図５】
0004331351.tif 000006
【図６】
0004331351.tif 000007
【図７】
0004331351.tif 000008
【図８】
0004331351.tif 000009
【図９】
0004331351.tif 000010